(57)【特許請求の範囲】
【請求項１】
スピーカーユニットを有するヘッドフォンハウジング内にヘッドバンドのハンガーが格納式に支軸されて連結され、上記ヘッドフォンハウジングが上記ヘッドバンドに対してアオリ方向あるいはツイスト方向に回動可能にされるヘッドフォンにおいて、
上記ヘッドフォンハウジングと上記ヘッドバンドとの間の連結部に生じる開口部を遮蔽手段により塞ぐようにしたことを特徴とするヘッドフォン。
【請求項２】
請求項１記載のヘッドフォンにおいて、
上記遮蔽手段は、上記ハンガーから延出した遮蔽部材により上記開口部を遮蔽するようにしたことを特徴とするヘッドフォン。
【請求項３】
請求項１記載のヘッドフォンにおいて、
上記遮蔽手段は、上記ヘッドフォンハウジングに備えた蛇腹状の遮蔽シートで上記開口部を遮蔽するようにしたことを特徴とするヘッドフォン。
【請求項４】
請求項１記載のヘッドフォンにおいて、
上記ヘッドフォンハウジング内に隔壁を備え、上記スピーカーユニットの背面側を密閉構造にしたことを特徴とするヘッドフォン。
【発明の詳細な説明】
【０００１】
【発明の属する技術分野】
本発明は、ヘッドフォンに関し、詳しくは、ヘッドバンドのハンガーがヘッドフォンハウジング（以下、単にハウジングという）内に格納式にされ、ヘッドフォンハウジングと回動するヘッドバンドとの開口部を遮蔽手段により隠蔽するようにしたことによって、ハウジング内への異物や塵埃等の侵入を防止するようにしたものである。また、ヘッドフォンの音響特性を向上できるようにしたものである。
【０００２】
【従来の技術】
従来型のヘッドフォンの一例を図８に示す。このヘッドフォンはスピーカーユニットが内蔵されたハウジング２１がヘッドバンド２２に備えた外付け式のハンガー２３で支軸されたものである。この場合、ヘッドバンド２２が頭頂部に装着され、ハウジング２１が前後方向の支軸Ｏを回動中心としてアオリ方向に回動し調整可能にされている。上述したヘッドフォンの装着操作は、ハウジング２１を保持したときハンガー２３の一部に指が触れるため装着しずらいといった問題がある。また、ハンガー２３を保持しながらハウジング２１を抑えないと、回動可能に支持されたハウジング２１がふらふらして装着しにくいといった問題もある。
【０００３】
また、従来型の別のヘッドフォンの一例を図９に示す。このヘッドフォンもスピーカーユニットが内蔵されたハウジング２４がヘッドバンド２５に備えた外付け式のハンガー２６で支軸されたものであり、この場合はヘッドバンド２２が後頭部に装着され、ハウジング２４が上下方向の支軸Ｏを回動中心としてツイスト方向に回動し調整可能にされている。この場合のヘッドフォンは、ハウジング２４とハンガー２６を挟むように持って頭部に装着するためにヘッドバンド２５を広げようとすると、ハウジング２４が支軸部分から回ってしまい装着性が非常に悪いといった問題がある。
【０００４】
そこで、上述したような外付け式のハンガーに変えて、ハンガー２７がハウジング２８内に格納されるようにした従来型のヘッドフォンを図１０に示す。格納式のハンガーにすることによって、ヘッドフォンの装着時にハウジングが振ら付いたり、回ってしまうといった問題については改善することができる。
【０００５】
【発明が解決しようとする課題】
ところで、ハンガーが格納式のヘッドフォンは、ハンガー２７に連結されているヘッドバンド２９のアーム３０がハウジング２８から引き出されている構成になっている。この場合、ヘッドバンド２９は頭頂部に装着され、ハウジング２８が前後方向の支軸Ｏを回動中心としてアオリ方向に回動可能なように、ハウジング２８に開口部３１が形成されている。しかし、ハウジング２８に開口部３１が形成されていることは、ここからハウジング２８内に異物や塵埃等が侵入することがあったり、ハウジング２８のアオリ調整の際に開口部３１とアーム３０との間に指を挟んでしまうといった問題があった。
【０００６】
本発明は、上述したような課題を解消するためになされたもので、ハウジング内に異物や塵埃等の侵入を防止し、併せて音響特性を向上できるようにしたヘッドフォンを得ることを目的とする。
【０００７】
【課題を解決するための手段】
上述の目的を達成するため、本発明によるヘッドフォンは、ハウジングとヘッドバンドとの間の連結部に生じる開口部を遮蔽手段により隠蔽するようにしたものである。
【０００８】
このように構成したヘッドフォンによれば、ハウジングの開口部が遮蔽手段により常に隠蔽されているので、ハウジング内に異物や塵埃等が侵入することがない。例えば、遮蔽手段がヘッドバンドのハンガーから延出した遮蔽板で開口部を遮蔽するようにすれば、ハウジングがアオリ方向あるいはツイスト方向に回動した場合でも、開口部が常に遮蔽板で塞がれた状態となり、ハウジング内に異物や塵埃等の侵入を防止することができる。
【０００９】
また、ハウジング内を隔壁で仕切り、スピーカーユニットを密閉構造にしたことで、スピーカーの音響特性を高めることができる。
【００１０】
【発明の実施の形態】
以下、本発明によるヘッドフォンの実施の形態の例を図面を参照して説明する。
図１はヘッドフォン装着状態の外観図、図２は図１のＡ−Ａ線断面図、図３はヘッドフォンの要部を分離した斜視図である。
【００１１】
ヘッドフォンはハウシング１と、このハウジング１を回動可能に保持するヘッドバンド２とからなる。ハウジング１はプラスチック材や耐腐食性金属材等から成形加工されたハウジング本体３と蓋カバー４とから構成され、ハウジング本体３にはスピーカーユニット５が取り付けられている。また、ハウジング本体３の前面側、つまりスピーカーユニット５の放音部５ａ側にはイヤーパッド６が備えられている。
【００１２】
ヘッドバンド２は端部に一体にアーチ状のハンガー７を有し、このハンガー７の両先端部に設けた凸軸８，８をハウジング本体３の軸孔９，９（図３では一方の軸孔９のみ示してある）に支軸し、当該ハウジング本体３を保持している。そして、ヘッドバンド２が取り付けられたハウジング本体３には、スピーカーユニット５の背面側から当該スピーカーユニット５を覆うように蓋カバー４が組付けられ、図示しない止めねじで結合される。また、ヘッドバンド２のハンガー７も蓋カバー４内に格納される。
【００１３】
上述のように構成したヘッドフォンは、ヘッドバンド２が後頭部に装着され、図１に示したようにヘッドバンド２に対してハウシング２が支軸Ｏを回動支点としてツイスト方向に調整可能にされる。このため、蓋カバー４にはヘッドバンド２のガイドのための開口部１０が必要となるが、この開口部１０をヘッドバンド２に形成した遮蔽部材により塞ぐようにしている。
【００１４】
すなわち、遮蔽部材の一例として図３に示すようにハンガー７から遮蔽板１１を一体に延出し、この遮蔽板１１とは反対側にヘッドバンド２から一体に張出し部１２が形成されている。
【００１５】
上述した本発明によるヘッドフォンは、図４ｂのようにヘッドフォン装着に際して一対のハウジング１，１を左右に離間すると、図４ａで示すようにハウジング１の開口部１０が遮蔽板１１で塞がれる。また、図５ｂのように一対のハウジング１，１が装着された状態では、図５ａで示すようにハウジング１の開口部１０がヘッドバンド２の張出し部１２で塞がれる。尚、ヘッドフォンはユーザーの頭部の大小によって図４ｂや図５ｂの状態で装着されることもある。
【００１６】
このように本発明によるヘッドフォンによれば、ヘッドフォンのいずれの使用態様においてもハウジング１の開口部１０を遮蔽板１１及び張出し部１２によって常に塞ぐことができることから、ハウジング１内に例えば、異物や塵埃等が侵入することもなく、しかも、ヘッドフォンの装着中に開口部１０とヘッドバンド２との間に誤って指を挟むといった危険も未然に回避することができる。さらに、ヘッドフォンの外観デザインも向上し商品価値を高めることができる。
【００１７】
開口部１０の別の遮蔽部材として、図６及び図７に示すように開口部１０の内側からハンガー７と蓋カバー４との間にゴム材や柔軟なプラスチック材あるいは布地等からなる蛇腹状に伸縮する遮蔽シート１３を取り付けると共に、同様に開口部１０の内側からハンガー７とハウジング本体３との間に蛇腹状に伸縮する遮蔽シート１４を取り付けることであってもよい。
【００１８】
このように構成したことによって、図６に示すようにハンガー７と蓋カバー４との間に開口部１０が生じたとき、遮蔽シート１３が伸長して開口部１０を塞ぐことができ、これに対して反対側の遮蔽シート１４は縮重する。また、図７に示すようにハンガー７とハウジング本体３との間に開口部１０が生じたとき、遮蔽シート１４が伸長して開口部１０を塞ぐことができるようになり、反対側の遮蔽シート１３は縮重する。これによって、ハウジング１内への異物や塵埃等が侵入を防止することができる。さらに、蛇腹状の遮蔽シートを使用した場合では製作費が安価にできる。
【００１９】
ところで、本発明のヘッドフォンのハウジング１は、スピーカーユニット５の背面側を密閉構造にし、これによって、スピーカーの音響特性を向上させるようにしたものである。その一例として、図２及び図３に示すようにハウジング本体３の背面側からスピーカーユニット５を囲むようにリブ状の隔壁１５を形成したものである。すなわち、ハウジング本体３に蓋カバー４を閉止したとき、開口部１０側とは隔壁１５を仕切り壁としてスピーカーユニット５側を密閉室構造にできるようにしたものである。これによって、簡単な構造でスピーカーの音響特性を向上させることができる。
【００２０】
本発明は上述しかつ図面に示した実施の形態の例に限定されるものでなく、その要旨を逸脱しない範囲内で種々の変形実施が可能である。
【００２１】
本例に示したヘッドフォンでは、ヘッドバンド２を後頭部に掛け、ハウジング１をツイスト方向に調整できるようにした場合について説明したが、ヘッドバンド２を頭頂部に掛け、ハウジング１をアオリ方向に調整できるようにした構造のヘッドフォンについても適用可能である。
【００２２】
【発明の効果】
以上説明したように本発明によるヘッドフォンによれば、スピーカーユニットを有しハンガーが格納式にされて回動するハウジングとヘッドバンドとの連結部に生じる開口部を遮蔽手段により隠蔽するようにしたので、ハウジング内に異物や塵埃等の侵入が防止でき、しかも、ヘッドフォンの装着中に開口部とヘッドバンドとの間に誤って指を挟むといった危険も未然に回避することができる。さらに、ヘッドフォンの外観デザインも向上し商品価値を高めることができるといった効果がある。
【００２３】
また、遮蔽手段としてハンガーから延出した遮蔽部材により開口部を遮蔽するようにすることで、ハンガーから一体成形された部材を利用して開口部を効果的に塞ぐことができる。
【００２４】
また、遮蔽手段としてヘッドフォンハウジングに備えた蛇腹状の遮蔽シートで開口部を遮蔽するようにすることで、遮蔽手段を安価に製作することができる。
【００２５】
さらに、ヘッドフォンハウジング内に隔壁を備えてスピーカーユニットの背面側を密閉構造にすることで、簡単な構造でスピーカーの音響特性を向上させることができる。
【図面の簡単な説明】
【図１】本発明によるヘッドフォンの装着状態の外観図である。
【図２】図１のＡ−Ａ線における断面図である。
【図３】ハウジングの主要部を分離した斜視図である。
【図４】ａ、ヘッドフォンが左右に開かれた際の開口部が塞がれている様子の部分断面図である。
ｂ、同じくヘッドフォンが左右に開かれた際の外観図である。
【図５】ａ、ヘッドフォン装着状態の際の開口部が塞がれている様子の部分断面図である。
ｂ、同じくヘッドフォン装着状態の外観図である。
【図６】遮蔽手段に蛇腹状の遮蔽シートを使用した場合のハウジングの部分断面図である。
【図７】同じく図６の動作状態を示すハウジングの部分断面図である。
【図８】ハンガーが外付け式の従来のヘッドフォンの外観図である。
【図９】ハンガーが外付け式の従来の別の例のヘッドフォンの外観図である。
【図１０】ハンガーが格納式の従来のヘッドフォンの外観図である。
【符号の説明】
１…ハウジング、２…ヘッドバンド、３…ハウジング本体、４…蓋カバー、５…スピーカーユニット、６…イヤーパッド、７…ハンガー、１０…開口部、１１…遮蔽板、１２…張出し部、１３，１４…蛇腹状の遮蔽シート、１５…隔壁
【図１】
0004062824.tif 000002
【図２】
0004062824.tif 000003
【図３】
0004062824.tif 000004
【図４】
0004062824.tif 000005
【図５】
0004062824.tif 000006
【図６】
0004062824.tif 000007
【図７】
0004062824.tif 000008
【図８】
0004062824.tif 000009
【図９】
0004062824.tif 000010
【図１０】
0004062824.tif 000011